(57)【要約】【課題】  ケーブルをすっきりと綺麗に体裁良く収納できるとともに、ケーブルの収納に手間が掛からないようにした体組成計を提供する。【解決手段】  生体インピーダンス測定用の足用電極を有する体重測定部２と、生体インピーダンス測定用の手用電極を有する組成計本体３と、体重測定部２と組成計本体３とを電気的に接続するケーブルとしてのカールコード１０とを備える。体重測定部２の収納部にカールコード１０を内外に導出入する出入口を設けるとともに、体重測定部２の内部にカールコード１０を巻き取り収納するカールコード巻取具を設け、カールコード１０の一部をカールコード巻取具に巻き取り、残りの部分を収納部のカールコード巻取具以外の部分に収納した。【選択図】      図２
2005066233.tif 000002
【特許請求の範囲】
【請求項１】
生体インピーダンス測定用の足用電極を有する体重測定部と、生体インピーダンス測定用の手用電極を有する組成計本体と、前記体重測定部と前記組成計本体とを電気的に接続するケーブルとを備え、前記体重測定部に前記組成計本体の少なくとも一部及び前記ケーブルを収納する収納部を備える体組成計において、
前記ケーブルはカールコードであり、前記体重測定部の収納部に前記カールコードを内外に導出入する出入口を設けるとともに、前記体重測定部の内部に前記カールコードを巻き取り収納するカールコード巻取具を設け、前記カールコードの一部を前記カールコード巻取具に巻き取り、残りの部分を前記収納部のカールコード巻取具以外の部分に収納することを特徴とする体組成計。
【請求項２】
前記カールコード巻取具は、前記体重測定部の内部のほぼ中央部に配置されていることを特徴とする請求項１記載の体組成計。
【請求項３】
前記カールコード巻取具は、
前記カールコードが導出入する出入口を有するケーシングと、
前記ケーシング内で回転可能に支持され、前記カールコードの一端が取付けられた当該カールコードを巻取るためのリールと、
一端が前記ケーシングに係止されるとともに他端が前記リールに係止され、前記カールコードを巻取る方向に前記リールを回転付勢する付勢部材と、
を備えたことを特徴とする請求項１又は請求項２記載の体組成計。
【請求項４】
前記カールコード巻取具は、前記リールの回転を１回転以内に制限するストッパを備えることを特徴とする請求項３記載の体組成計。
【請求項５】
前記カールコード巻取具は、前記カールコードを引き出すときは、そのカールコードの伸長よりも先に前記リールが回転し、前記カールコードを収納するときは、前記リールの回転よりも先に前記カールコードが収縮するように、前記カールコードの伸縮のバネ定数と前記付勢部材の回転付勢力とが設定されていることを特徴とする請求項３又は請求項４記載の体組成計。
【請求項６】
前記カールコード巻取具は、前記ケーシングの出入口が前記体重測定部の出入口を兼ねていることを特徴とする請求項３、請求項４又は請求項５記載の体組成計。
【発明の詳細な説明】
【技術分野】
【０００１】
この発明は、生体の体脂肪量・率、除脂肪量・率、内臓脂肪面積、筋肉量、水分量等の組成を測定する体組成計に関する。
【背景技術】
【０００２】
体組成計には、一対の電極を生体の適所（例えば、右手−左手、右足−左足、手−足間等）に接触させ、両電極間に電流を通電して電圧を検出して生体インピーダンスを計測するとともに、体重計で被測定者の体重を測定し、予め設定した年齢、性別とともに、測定体重と測定インピーダンスとに基づいて、体脂肪量・率などを計測するものが知られている。
【０００３】
このような体組成計としては、例えば、人体載置部と手元操作部をケーブルで電気的に接続し、人体載置部に設けたケーブル収納のための凹部を備え、手元操作部を凹部上に収納することにより、手元操作部が凹部の蓋兼用となり内部に収納したケーブルを遮蔽するようにした生体情報測定装置がある（例えば、特許文献１参照）。
【０００４】
この装置では、その１実施例として、人体載置部と手元操作部を接続するケーブルを、螺旋状に形成した伸縮に自由度のあるカールコードとし、このカールコードを収縮状態で全長を短くして凹部に収納するようにしてある。
【０００５】
また、人体載置部と把持部をケーブルで電気的に接続し、巻き取り手段でケーブルを巻き取り収納することにより、ケーブルが見えなく非使用時の外観性が向上するようにした生体情報測定装置がある（例えば、特許文献２参照）。
【０００６】
この装置では、ケーブルを巻き取るときには、巻き取り手段が巻き取り動作をするようにケーブルを軽く引っ張り、ケーブルを巻き取り手段に収納するようになっている。また、ケーブルに張力が掛かっていない場合に、ケーブルを自動的に巻取る自動巻き取り手段では、把持部を握っている力を緩めるか、把持部を離すことで、自動巻き取り手段がケーブルを巻取るようになっている。
【特許文献１】特開２００２−２６３０７７号公報（〔００７２〕、図３０）
【特許文献２】特開２００２−３２５７４１号公報（〔００２１〕、〔００２７〕、〔００３０〕        〜〔００３４〕、図１、図３、図４、図５）
【発明の開示】
【発明が解決しようとする課題】
【０００７】
上記特許文献１記載の装置によると、人体載置部と手元操作部がカールコードで接続されているが、カールコードは人体載置部の凹部にはみ出さないように折り畳んで整然と収納する必要があり、カールコードを凹部に収納するのが面倒である。
【０００８】
また、上記特許文献２記載の装置では、人体載置部と把持部を接続するケーブルが巻き取り手段又は自動巻き取り手段で巻き取られるが、特に自動巻き取り手段であっても、ケーブルが巻き取られるときに（人体載置部内に入るときに）ケーブルが捩れたり、絡まったりしないように注意する必要がある。そうしないと、最後まで巻き取れなかったり、途中で巻き取りが停止してしまう恐れがある。更に、伸縮性の無いケーブルを用いた場合には、巻き取り手段が大きくなり、人体載置部が大型化してしまう。この場合は、フラットケーブルを用いて巻き取り手段を小型化することが可能だが、フラットケーブルはコストが高く、耐久性にも問題がある。
【０００９】
この発明は、そのような従来の装置にみられる問題点に着目してなされたもので、ケーブルをすっきりと綺麗に体裁良く収納できるとともに、ケーブルの収納に手間が掛からないようにした体組成計を提供することを目的とする。
【課題を解決するための手段】
【００１０】
前記目的を達成するために、本発明の体組成計は、生体インピーダンス測定用の足用電極を有する体重測定部と、生体インピーダンス測定用の手用電極を有する組成計本体と、体重測定部と組成計本体とを電気的に接続するケーブルとを備え、体重測定部に組成計本体の少なくとも一部及びケーブルを収納する収納部を備えるものにおいて、ケーブルはカールコードであり、体重測定部の収納部にカールコードを内外に導出入する出入口を設けるとともに、体重測定部の内部にカールコードを巻き取り収納するカールコード巻取具を設け、カールコードの一部をカールコード巻取具に巻き取り、残りの部分を収納部のカールコード巻取具以外の部分に収納することを特徴とする。
【００１１】
この体組成計では、ケーブルをカールコードとし、このカールコードを巻き取り収納するカールコード巻取具を設けてある。体組成計を使用するために組成計本体を体重測定部から取り出して持ち上げると、カールコードは巻取具から引き出されて伸長する。カールコードには引張力が加わっているので、組成計本体の位置を下げるのに連れて、カールコードが巻取具に巻き取られ、組成計本体を体重測定部の元の位置に戻せば、カールコードも元の巻取状態に復帰する。このとき、カールコードの一部をカールコード巻取具に巻き取り、残りの部分を収納部のカールコード巻取具以外の部分に収納する。
【００１２】
この体組成計において、カールコード巻取具は体重測定部の内部のほぼ中央部に配置されるのが好ましい。
【００１３】
カールコード巻取具は、より具体的構成としては、カールコードが導出入する出入口を有するケーシングと、ケーシング内で回転可能に支持され、カールコードの一端が取付けられた当該カールコードを巻取るためのリールと、一端がケーシングに係止されるとともに他端がリールに係止され、カールコードを巻取る方向にリールを回転付勢する付勢部材とを備えるものである。
【００１４】
このカールコード巻取具では、体組成計を使用するために組成計本体を体重測定部から取り出して持ち上げると、カールコードは付勢部材からの張力に抗して持ち上げた位置に応じてリールから引き出されて伸長する。カールコードにはリールを介して付勢部材からの引張力が加わっているので、組成計本体の位置を下げるのに連れて、カールコードがリールに巻き取られ、組成計本体を体重測定部の元の位置に戻せば、カールコードも元の巻取状態に復帰する。
【００１５】
このカールコード巻取具において、リールの回転を１回転以内に制限するストッパを備えることとするのが好ましい。つまり、カールコードのリールへの巻回回数を１回以内とするのがよい。より好適には、リールの回転は２７０°程度までである。
【００１６】
また、このカールコード巻取具において、カールコードを引き出すときは、そのカールコードの伸長よりも先にリールが回転し、カールコードを収納するときは、リールの回転よりも先にカールコードが収縮するように、カールコードの伸縮のバネ定数と付勢部材の回転付勢力とを設定するのがよい。これは、カールコードの太さやカール径等にもよるが、カールコードを引き出すときにリールが先に回転することで、先に必要な長さのカールコードをリールから素早く引き出すことができ、反対にカールコードを収納するときにカールコードが先に収縮することで、カールコードが収縮状態でリールに素早く巻き取られるからである。
【００１７】
更に、カールコード巻取具のケーシングの出入口が体重測定部の出入口を兼ねていることが好ましい。
【００１８】
なお、本発明において、カールコードとは、螺旋状に形成されて伸縮に自由度のあるコード（又はケーブル）のことを意味する。
【発明の効果】
【００１９】
請求項１，２，３記載の発明によれば、カールコードをすっきりと綺麗に体裁良く収納できるとともに、カールコードの収納に手間が掛からない。
【００２０】
請求項４記載の発明によれば、カールコードがリールに重なって巻き取られないので、カールコードの品質を損なうことがない。
【００２１】
請求項５記載の発明によれば、カールコードの引き出し及び収納を迅速に行うことができる。
【００２２】
請求項６記載の発明によれば、部品点数の低減によりコストを削減できる。
【発明を実施するための最良の形態】
【００２３】
以下、実施の形態により、この発明を更に詳細に説明する。
【００２４】
その実施形態に係る体組成計の平面図を図１に、その体組成計の使用状態を示す図を図２に示す。
【００２５】
この体組成計１は、生体の体脂肪量・率、除脂肪量・率、内臓脂肪面積、筋肉量、水分量等の組成を測定するもので、生体インピーダンス測定用の足用電極を有する体重測定部２と、生体インピーダンス測定用の手用電極を有するハンドル状の組成計本体３と、体重測定部２と組成計本体３とを電気的に接続するケーブルとしてのカールコード１０とを備えている。組成計本体３は、体重測定部２の収納部８（図１４及び図１５参照）に着脱可能に収納することができる。
【００２６】
体重測定部２は、内部に体重測定用の歪センサを備えるとともに、表面に生体インピーダンス測定用の左足電極４Ｌ，５Ｌと右足電極４Ｒ，５Ｒとを備えている。左足電極４Ｌと右足電極４Ｒは、高周波電流通電用の電極であり、ハウジング内部で互いに電気的に接続されている。左足電極５Ｌと右足電極５Ｒは、計測用電極であり、やはりハウジング内部で互いに電気的に接続されている。
【００２７】
組成計本体３は、左グリップ１１と、右グリップ１２とを備えている。左グリップ１１には左手電極１３Ｌ，１４Ｌが、右グリップ１２には右手電極１３Ｒ，１４Ｒが、それぞれ設けられており、これら電極１３Ｌ，１４Ｌ、１３Ｒ，１４Ｒはカールコード１０を介して体重測定部２の内部で回路部に接続されている。
【００２８】
この体組成計１は、図２に示すように、被測定者Ｍが体重測定部２の左足電極４Ｌ，５Ｌに左足を載せ、右足電極４Ｒ，５Ｒに右足を載せ、組成計本体３の左手電極１３Ｌ，１４Ｌを左手で握り、右手電極１３Ｒ，１４Ｒを右手で握り、組成計本体３をほぼ肩の高さまで持ち上げて腕を真っ直ぐに延ばして使用する。
【００２９】
この体組成計１の特徴は、体重測定部２と組成計本体３を接続するケーブルがカールコード１０であり、このカールコード１０を巻取るカールコード巻取具を備えていることである。次に、そのカールコード巻取具について、図３〜図１５を参照して説明する。カールコード巻取具は、カールコード１０、ケーシング（ケース２０，５０）、リール（リール部材３０，４０）、付勢部材（渦巻きバネ、図示せず）を備える。
【００３０】
ケーシングはケース２０，５０で構成される。その一方のケース２０は、図３（外側の平面図）及び図４（内側の平面図）に示すような形態である。このケース２０は、カールコード１０が導出入される図示のような形状の出入口２１を有し、外周に３つのネジ挿通孔２２が等角度（１２０°）間隔で付設されている。このネジ挿通孔２２は、後記ケース５０とネジにより一体に取付けるためのものである。ケース２０の内側中心にはボス２３が突設され、このボス２３には後記ケース５０の軸５４の先端部分が嵌入される。ボス２３の外側には半円形状の開口２４が形成され、この開口２４からカールコード１０の一端部の直線部分（非カール状部分）が導出され、体重測定部２の内部の回路部に接続される。
【００３１】
また、ケース２０の内側の外周寄りの部分には、環状の幅広の凹部２５が形成され、この凹部２５に後記リールの回転を１回転以内に制限するストッパを構成する突起２６が設けられている。更に、凹部２５の外側には、環状の幅狭の凹部２７が形成され、この凹部２７にも突起２６に対応して同ストッパを構成する突起２８が設けられている。
【００３２】
リールはリール部材３０，４０で構成される。その一方のリール部材３０は、図５（内側から見た斜視図）、図６（外側の平面図）及び図７（内側の平面図）に示すような形態である。このリール部材３０の中心には円形穴３１が形成され、この円形穴３１は後記リール部材４０のスリーブ４１を受容する。円形穴３１の外側には、前記ケース２０の開口２４に対応して、同様に半円形状の開口３２が形成されている。また、リール部材３０の内側には、同一円上に３つの爪片３３が等角度（１２０°）間隔で突設されるとともに、その同一円上に突部３４が突設されている。
【００３３】
リール部材３０の外側の外周寄りの部分には、環状の幅広の凹部３５が形成され、この凹部３５に前記ケース２０の突起２６に対応して同ストッパを構成する突起３６が設けられている。更に、凹部３５の外側には、環状の幅狭の凹部３７が形成され、この凹部３７にも突起３６に対応して同ストッパを構成する突起３８が設けられている。ここでは、このリール部材３０の突起３６，３８と上記ケース２０の突起２６，２８で、リールの回転を１回転以内に制限するストッパが構成される。
【００３４】
他方のリール部材４０は、図８（内側から見た斜視図）、図９（内側の平面図）及び図１０〔側面図（ａ）、外側の平面図（ｂ）〕に示すような形態である。このリール部材４０の中心にはスリーブ４１が内方向に突設され、このスリーブ４１には後記ケース５０の軸５４が挿入される。リール部材４０の内側において、スリーブ４１の外側には環状の仕切壁４２が設けられ、仕切壁４２の外側に円弧状の仕切片４３が設けられている。仕切片４３の付近において、仕切壁４２の一端部には、前記リール部材３０の突部３４を受容するボス４４が突設されている。また、仕切壁４２の内側にはピン４５が突設されている。      
【００３５】
仕切壁４２は、カールコード１０のカール状部分を巻回するためのもので、仕切片４３、ボス４４及びピン４５は、カールコード１０の直線部分（非カール状部分）を固定するためのものである。例えば、カールコード１０の直線部分は、仕切壁４２と仕切片４３との間を通し、ボス４４を回って仕切壁４２の内側に入り、ピン４５と仕切壁４２との間を通すことで、カールコード１０の一端部がリール部材４０（すなわちリール）に取付けられる。
【００３６】
リール部材４０の外側には環状の隔壁４６が形成され、この隔壁４６の内側部分に渦巻きバネ（図示せず）が配置される。隔壁４６の内周面に近接して、渦巻きバネの外側の端部に設けられたフックが引っ掛けられる係合片４７が付設されている。また、隔壁４６の外側（仕切壁４２の内側）には、上記リール部材３０の爪片３３が嵌入・係合される穴４８が等角度（１２０°）間隔で形成されている。
【００３７】
他方のケース５０は、図１１〔外側の平面図（ａ）、（ａ）のＡ−Ａ線における断面図（ｂ）〕、図１２（内側の平面図）及び図１３〔図１１の（ａ）の矢視Ｂから見た側面図〕に示すような形態である。このケース５０は、カールコード１０が導出入される図示のような形状の出入口５１を有し、上記ケース２０の出入口２１に対応している。すなわち、ケース２０，５０を一体化することで、出入口２１，５１が整合する。ケース５０の外周には、上記ケース２０のネジ挿通孔２２に対応して、それぞれネジ穴５２ａを有する３つのネジ取付部５２が等角度（１２０°）間隔で付設されている。ケース２０のネジ挿通孔２２にネジを通し、ネジ取付部５２のネジ穴５２ａに螺合することで、ケース２０，５０が一体に固定され、ケーシングが構成される。また、ケース５０の外周には、この巻取具を体重測定部２内部に取付けるための３つのネジ挿通孔５３が等角度（１２０°）間隔で付設されている。
【００３８】
ケース５０の内側中心には軸５４が突設されている。この軸５４には、これを２分割する切り込み５４ａ〔図１１の（ｂ）〕が形成され、この切り込み５４ａは、渦巻きバネの内側の端部に設けられたフックを引っ掛けるためのものである。軸５４の外側領域は一定の範囲にわたって円形の凹部５５になっている。この凹部５５は、上記リール部材４０の隔壁４６よりも幾分大きく、この巻取具を組み立てたときに隔壁４６が凹部５５内に位置するようになっている。このケース５０の凹部５５とリール部材４０の隔壁４６により、渦巻きバネの収容部が形成される。渦巻きバネは、そのバネ収容部に配置された状態で、一端部がリール部材４０の係合片４７に係止され、他端部がケース５０の軸５４の切り込み５４ａに係止される。
【００３９】
勿論、渦巻きバネは、カールコード１０を巻取る方向にリールを回転付勢するように取付け向きを設定する。また、渦巻きバネのバネ定数とカールコード１０の伸縮のバネ定数は、カールコード１０を引き出すときは、カールコード１０の伸長よりも先にリールが回転し、カールコード１０を収納するときは、リールの回転よりも先にカールコード１０が収縮するように設定されている。これにより、前記のとおり、カールコード１０の引き出し及び収納を素早く行うことができる。
【００４０】
次に、このように構成したカールコード巻取具は、例えば次のように組み立てられる。リール部材３０の開口３２（及びケース２０の開口２４）にカールコード１０の直線部分（非カール状部分）を通してから、上記のようにリール部材４０にカールコード１０の直線部分を取付けた後、リール部材３０の突部３４をリール部材４０のボス４４に挿入するとともに、リール部材３０の爪片３３をリール部材４０の穴４８に嵌入・係合させる。勿論、このとき、リール部材４０のスリーブ４１をリール部材３０の円形穴３１に挿入する。これにより、リール部材３０，４０が一体化され、リールが形成される。
【００４１】
そして、リール部材３０側では、ケース２０のボス２３をリール部材３０の円形穴３１に位置するリール部材４０のスリーブ４１に挿入する。一方、リール部材４０側では、前記したようにバネ収容部に渦巻きバネを配置し、ケース５０の軸５４をリール部材４０のスリーブ４１に挿入する。これにより、軸５４の先端部分がボス２３に嵌入される。更に、ケース２０のネジ挿通孔２２とケース５０のネジ取付部５２を合せ、ネジを螺合することで、ケース２０，５０が一体化され、ケーシングが形成される。これにより、ケーシング内部にリールが回転可能に支持されたカールコード巻取具となる。この組み立てられたカールコード巻取具は、ケース５０のネジ挿通孔５３にネジを通し、体重測定部２内部の所定箇所（中央部）、すなわち左足電極４Ｌ，５Ｌと右足電極４Ｒ，５Ｒとの間の位置に取付けられる。
【００４２】
上記カールコード巻取具を組み込んだ体組成計１においては、図１４に体重測定部２の裏カバーを取り外した状態の概略裏面図を示すように、カールコード１０を収納した状態〔組成計本体３（図示せず）を収納部８に収納した状態〕では、巻取具６０内で渦巻きバネによりカールコード１０の一部が伸縮状態でリールに巻き取られ、残りの部分が収納部８に収納されている。
【００４３】
体重測定部２の収納部８から組成計本体３を取り外して持ち上げると、図１５に示すように、リールからカールコード１０が引き出されるとともに、カールコード１０が伸長する。カールコード１０を或る程度まで引き出すと（リールが約２７０°まで回転すると）、リール部材３０の突起３６，３８がケース２０の突起２６，２８に当たり、リールの回転が制限される。逆に、カールコード１０を収納するときも、突起３６，３８が突起２６，２８に当たり、リールの回転が止まる。勿論、カールコード１０の一端の直線部分（非カール状部分）は、ケース２０の開口２４及びリール部材３０の開口３２から導出されているので、カールコード１０の引き出し時や収納時にカールコード１０が絡まったりする恐れはない。
【００４４】
このカールコード巻取具によれば、カールコード１０をすっきりと綺麗に体裁良く収納できるとともに、カールコード１０の収納に手間が掛からない。しかも、カールコード１０がリールに重なって巻き取られないので、カールコード１０の品質を損なうことがないだけでなく、カールコード１０の引き出し及び収納を迅速に行うことができる。
【００４５】
また、カールコード１０を収納するときは、突起３６，３８が突起２６，２８に当たって衝突音が鳴るので、カールコード１０を収納できたことを容易に認識できる。更に、ケーシング（ケース２０，５０）の出入口２１，５１が体重測定部２の収納部８における出入口を兼ねているので、部品点数の低減によりコストを削減できる。その上、出入口２１，５１が大きく、大きな曲面を有するので、カールコード１０の引き出し及び収納がスムーズである。
【図面の簡単な説明】
【００４６】
【図１】実施形態に係る体組成計の平面図である。
【図２】同体組成計の使用状態を示す図である。
【図３】同体組成計に内蔵されたカールコード巻取具のケーシングを構成する一方のケースの外側の平面図である。
【図４】同カールコード巻取具のケーシングを構成する一方のケースの内側の平面図である。
【図５】同体組成計に内蔵されたカールコード巻取具のリールを構成する一方のリール部材を内側から見た斜視図である。
【図６】同カールコード巻取具のリールを構成する一方のリール部材の外側の平面図である。
【図７】同カールコード巻取具のリールを構成する一方のリール部材の内側の平面図である。
【図８】同体組成計に内蔵されたカールコード巻取具のリールを構成する他方のリール部材を内側から見た斜視図である。
【図９】同カールコード巻取具のリールを構成する他方のリール部材の内側の平面図である。
【図１０】同カールコード巻取具のリールを構成する他方のリール部材の側面図（ａ）、及び外側の平面図（ｂ）である。
【図１１】同体組成計に内蔵されたカールコード巻取具のケーシングを構成する他方のケースの外側の平面図（ａ）、及び（ａ）のＡ−Ａ線における断面図（ｂ）である。
【図１２】同カールコード巻取具のケーシングを構成する他方のケースの内側の平面図である。
【図１３】同カールコード巻取具のケーシングを構成する他方のケースの、図１１の（ａ）の矢視Ｂから見た側面図である。
【図１４】同体組成計の体重測定部の裏カバーを取り外した状態（カールコードの収納時）の概略裏面図である。
【図１５】同体組成計の体重測定部の裏カバーを取り外した状態（カールコードの引き出し時）の概略裏面図である。
【符号の説明】
【００４７】
１            体組成計
２            体重測定部
３            組成計本体
１０          カールコード
２０          ケース（ケーシング）
２１          出入口
２６，２８    突起（ストッパ）
３０          リール部材（リール）
３６，３８    突起（ストッパ）
４０          リール部材（リール）
５０          ケース（ケーシング）
５１          出入口
６０          カールコード巻取具
【図１】
2005066233.tif 000003
【図２】
2005066233.tif 000004
【図３】
2005066233.tif 000005
【図４】
2005066233.tif 000006
【図５】
2005066233.tif 000007
【図６】
2005066233.tif 000008
【図７】
2005066233.tif 000009
【図８】
2005066233.tif 000010
【図９】
2005066233.tif 000011
【図１０】
2005066233.tif 000012
【図１１】
2005066233.tif 000013
【図１２】
2005066233.tif 000014
【図１３】
2005066233.tif 000015
【図１４】
2005066233.tif 000016
【図１５】
2005066233.tif 000017